(57)【特許請求の範囲】
【請求項１】
シャフトを接続したヘッドのフェースに、打撃時のフェースの撓みまたはフェースのヘッドに対する相対変位が大きくなる変形部を設けたアイアン型ゴルフクラブにおいて、前記変形部は前記フェースにおけるヒール側ネック付け根近傍を除いたトップ側エッジ、トウ側エッジ、リーディングエッジの３箇所に連続して設けられることを特徴とするアイアン型ゴルフクラブ。
【請求項２】
シャフトを接続したヘッドのフェースに、打撃時のフェースの撓みまたはフェースのヘッドに対する相対変位が大きくなる変形部を設けたアイアン型ゴルフクラブにおいて、前記変形部は前記フェースにおけるトウ側エッジを除いたトップ側エッジ、ヒール側ネック付け根近傍、リーディングエッジの３箇所に連続して設けられることを特徴とするアイアン型ゴルフクラブ。
【請求項３】
前記変形部は、溝であることを特徴とする請求項１又は２記載のアイアン型ゴルフクラブ。
【発明の詳細な説明】
【技術分野】
【０００１】
本発明は、ヘッドにシャフトを接続したアイアン型ゴルフクラブに関するものである。
【背景技術】
【０００２】
従来、この種のものとして打撃時のフェース部の撓み又はフェースのゴルフクラブヘッドに対する相対変位が大きくなるように変形部を設け、フェース部の弾性変形を大きくして飛距離を増大させるものが公知である（例えば特許文献１）。
【特許文献１】特開平１０−２６３１１８公報
【発明の開示】
【発明が解決しようとする課題】
【０００３】
ところで、ゴルフクラブ（パターを除く）によって打撃したボールをドロー（ボール）或いはフェード（ボール）とする必要がある。このようなドロー或いはフェードはボールにスピンをかけて行うものであるが、適正な回転方向のスピンをボールにかけないとボールが所望箇所に飛び出さずにＯＢになるおそれがある。
【０００４】
また、ゴルフの初心者においては打ち出したボールがスライスになりやすく、打撃時におけるボールのスピンを矯正する必要がある。
【０００５】
解決しようとする問題点は、シャフトを接続したヘッドのフェースに、打撃時のフェースの撓みまたはフェースのヘッドに対する相対変位が大きくなるように変形部を設けたゴルフクラブにおいて、適正な回転方向のスピンをかけることができるアイアン型ゴルフクラブを提供する点である。
【課題を解決するための手段】
【０００６】
請求項１の発明は、シャフトを接続したヘッドのフェースに、打撃時のフェースの撓みまたはフェースのヘッドに対する相対変位が大きくなる変形部を設けたアイアン型ゴルフクラブにおいて、前記変形部は前記フェースにおけるヒール側ネック付け根近傍を除いたトップ側エッジ、トウ側エッジ、リーディングエッジの３箇所に連続して設けられることを特徴とするアイアン型ゴルフクラブである。
【０００７】
請求項２の発明は、シャフトを接続したヘッドのフェースに、打撃時のフェースの撓みまたはフェースのヘッドに対する相対変位が大きくなる変形部を設けたアイアン型ゴルフクラブにおいて、前記変形部は前記フェースにおけるトウ側エッジを除いたトップ側エッジ、ヒール側ネック付け根近傍、リーディングエッジの３箇所に連続して設けられることを特徴とするアイアン型ゴルフクラブである。
【０００８】
請求項３の発明においては、前記変形部は、溝であることを特徴とする請求項１又は２記載のアイアン型ゴルフクラブである。
【発明の効果】
【０００９】
請求項１の発明によれば、ボールを打撃する際、フェースにおいてヒール側ネック付け根近傍の箇所が支点となって変形部に囲まれた部位が回動する。この回動によるギア効果によってボールは所望のスピンが付与されて、打撃したボールの方向をドロー系とすることができる。
【００１０】
請求項２の発明によれば、ボールを打撃する際、フェースにおいてトウ側エッジの箇所が支点となって変形部に囲まれた部位が回動する。この回動によるギア効果によってボールは所望のスピンが付与されて、打撃したボールの方向をフェード系とすることができる。
【００１１】
請求項３の発明によれば、溝により打撃時のフェースの撓みまたはフェースのヘッド本体に対する相対変位が大きくできる。
【発明を実施するための最良の形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１３】
図１〜図５は実施例１を示しており、アイアン形のゴルフクラブは、ヘッド１とこのヘッド１の一側に接続するシャフト２からなる。そして鉄系金属からなるヘッド１には正面にフェース３、背面にキャビティバック用凹部４を形成し、さらに一側にヒール５、上部にトップ６、他側にトウ７、さらに下側にソール８を形成すると共に、ヒール５の上部にシャフト取り付け部であるネック９を設ける。このネック９にシャフト２の下端が接続されると共に、シャフト２の上部にはグリップ10が設けられる。
【００１４】
前記ヘッド１は、フェース３を形成する薄板状のフェース部材11と、フェース３以外のキャビティバック用凹部４、ヒール５、トップ６、トウ７、ソール８及びネック９を設けたヘッド本体12を備えている。前記ヘッド本体12の前面に前記フェース３に対応してフェース対応用凹部13を形成する。この凹部13は深さＡが１〜５ｍｍ程度の浅底形状であって、この凹部13は少なくともインパクトエリア14、すなわちボール15に当てることを意図して作成した部分に形成されるようになっている。具体的には前記凹部13におけるヒール側部15、トップ側部16、トウ側部17、ソール側部18は、それぞれフェース３とヒール５の境界であるヒール側ネック付け根19の近傍、フェース３とトップ６の境界であるトップ側エッジ20、フェース３とトウ７の境界であるトウ側エッジ21、フェース３とソール８の境界であるリーディングエッジ22の内側に設けられる。ヒール側ネック付け根19は平面状のフェース３と曲面状のネック９との境界によって形成される。
【００１５】
尚、前記インパクトエリア14は、具体的にはヒール側ネック付け根19近傍、トップ側エッジ20、トウ側エッジ21、リーディングエッジ22からのそれぞれの距離Ｂが５ｍｍより大きい内側に配置されるものであり、前記距離Ｂは好ましくは６.５ｍｍとする。
【００１６】
さらに、前記フェース部材11の表裏両面に変形部たる表側の変形用溝23と裏側の変形用溝24をそれぞれ設ける。表側の変形用溝23と裏側の変形用溝24は対向するように配置されたもので、これら表側の変形用溝23と裏側の変形用溝24は、それぞれインパクトエリア14の外側に配置されるものである。
【００１７】
フェース部材11の表側に設けられる表側の変形用溝23は、フェース３とトップ６の境界であるトップ側エッジ20に沿って設けられる表側のトップ側溝部25、フェース３とトウ７の境界であるトウ側エッジ21に沿って設けられる表側のトウ側溝部26、フェース３とソール８の境界であるリーディングエッジ22に沿って設けられる表側のリーディング側溝部27とが連続してなり、そしてこの表側の変形用溝23にはフェース３とヒール５側との境界であるヒール側ネック付け根19近傍には表側変形用溝は形成されていないようになっている。それぞれの表側のトップ側溝部25、表側のトウ側溝部26及び表側のリーディング側溝部27の断面は半円状であって、その直径Ｃを例えば０．４〜１．２ｍｍ程度、深さＤを０．２〜０．６ｍｍ程度とする。これにより適正な変形を可能とする。
【００１８】
さらに、表側のトップ側溝部25と表側のトウ側溝部26と表側のリーディング側溝部27は、少なくとも前述のインパクトエリア14、すなわちボール15に当てることを意図して作成した部分より外側、すなわち前記距離Ｂで示したようなトップ側エッジ20、トウ側エッジ21及びリーディングエッジ22側に形成されるようになっている。具体的には、前記表側のトップ側溝部25、表側のトウ側溝部26、表側のリーディング側溝部27は、トップ側エッジ20、トウ側エッジ21及びリーディングエッジ22側より内側に、１０ｍｍ以内、好ましくは６．５ｍｍ以内の距離Ｂ内に配置されている。
【００１９】
そして、フェース対応用凹部13におけるトップ側部16はトップ側エッジ20と表側のトップ側溝部25の間に配置され、トウ側部17はトウ側エッジ21と表側のトウ側溝部26の間に配置され、ソール側部18はリーディングエッジ22と表側のリーデング側溝部27の間に配置される。また、ヒール側部15はインパクトエリア14の外側に配置されるようになっている。
【００２０】
表側の変形用溝23と同様に該変形用溝23に対向して、フェース部材11の裏側に設けられる裏側の変形用溝24においても、トップ側エッジ20に沿って設けられる裏側のトップ側溝部28と、トウ側エッジ21に沿って設けられる裏側のトウ側溝部29と、リーディングエッジ22に沿って設けられる裏側のリーディングエッジ側溝部30が連続してなり、そしてこの裏側の変形用溝24においてはヒール側エッジ19には裏側の変形用溝24は形成されていないようになっている。
【００２１】
次に前記構成についてその作用を説明する。ゴルフクラブをスイングしてボール15をフェース３により打撃する際に、打撃力はフェース３を介してボール15に伝達される。
【００２２】
この際、フェース部材11においては、ヒール５側を除いて表側のトップ側溝部25と表側のトウ側溝部26と表側のリーディング側溝部27、さらには裏側のトップ側溝部28と裏側のトウ側溝部29と裏側のリーディングエッジ側溝部30が配置されているので、打撃時のフェース３の撓みまたはフェース３のヘッド本体12に対する相対変位が大きくなり、この結果フェース部材11においてはヒール５側が支点となり、トウ７側がフェース対応用凹部13に入り込むように後退する。すなわち図５においてフェース部材11はヒール５側が支点となって平面において時計方向まわりに回動する。この回動に伴なってボール15にはギア効果によって逆回転のスピンが付与される。すなわちボール15は図５において平面からみて反時計方向まわりに回動する。この結果、飛び出したボール15の方向はドロー系となる。
【００２３】
以上のように、前記実施例においてはシャフト２を接続したヘッド１のフェース３に、打撃時のフェース３の撓みまたはフェース３のヘッド１に対する相対変位が大きくなるように変形部を設けたゴルフクラブにおいて、変形部としてフェース３とトップ６との境界であるトップ側エッジ20に沿って設けられる表側のトップ側溝部25と、フェース３とトウ７の境界であるトウ側エッジ21に沿って設けられる表側のトウ側溝部26と、フェース３とソール８との境界であるリーディングエッジ22に沿って設けられる表側のリーディング側溝部27とが配置されてなり、フェース３とヒール５側との境界であるヒール側ネック付け根19近傍には表側変形用溝は形成されておらず、また表側の変形用溝23と同様に、フェース部材11の裏側に設けられる裏側の変形用溝24においても、トップ側エッジ20に沿って設けられる裏側のトップ側溝部28と、トウ側エッジ21に沿って設けられる裏側のトウ側溝部29と、リーディングエッジ22に沿って設けられる裏側のリーディングエッジ側溝部30とが配置されてなり、そしてこの裏側の変形用溝24においてはヒール側エッジ19には裏側の変形用溝24は形成されていないようになっているので、フェース３におけるトップ側エッジ20、トウ側エッジ21、リーディングエッジ22の３方にのみ表側の変形用溝23、裏側の変形用溝24が配置されていることで、フェース３の撓みまたはフェース３のヘッド本体12に対する相対変位がヒール５側を回転中心としてトウ７側が大きくなるようできるので、ボール15の打撃時にフェース３の回動を平面反時計方向回りとして、ギア効果によりドロー系のボール15の打ち出しを容易に行うことができる。
【００２４】
尚、表側のトップ側溝部25と表側のトウ側溝部26と表側のリーディング側溝部27とが連続しており、また裏側のトップ側溝部28と裏側のトウ側溝部29と裏側のリーディングエッジ側溝部30とが連続しているように、それぞれの溝部が連続していることで、溝部が断続しているものに比較して相対変位を大きくすることができる。
【００２５】
さらに、前記表側の変形用溝23、裏側の変形用溝24はトップ側エッジ20、トウ側エッジ21、リーディングエッジ22からフェース３の内側に向けて１０ｍｍ以内の距離Ｂに設けられることにより、これら変形用溝23，24によってインパクトエリア14が阻害されることはない。
【００２６】
また、フェース３の後方にフェース対応用凹部13を形成すると共に、トップ側部16はトップ側エッジ20と表側のトップ側溝部25、裏側のトップ側溝部28の間に配置され、トウ側部17はトウ側エッジ21と表側のトウ側溝部26、裏側のトウ側溝部29の間に配置され、ソール側部18はリーディングエッジ22と表側のリーディング側溝部27、裏側のリーディングエッジ側溝部30の間に配置される。また、ヒール側部15はインパクトエリア14の外側に配置されるようになっているので、表側の変形用溝23、裏側の変形用溝24の後方が空間となっており、したがって表側の変形用溝23、裏側の変形用溝24の自由度は確保され、この結果ヘッド本体12に阻害されることなく、打撃時のフェース３の撓みまたはフェース３のヘッド１に対する相対変位を可及的に大きくできる。
【実施例２】
【００２７】
以下に、本発明の他の実施例を説明する。尚、前記実施例１と同一部分には同一符号を付し、その詳細な説明を省略する。図６は実施例２を示しており、ヘッド本体12に形成したフェース対応用凹部13とフェース３との空間に、ボール15の打撃時のフェース３の弾性を調整するゴム系の弾性材31を充填したものである。このようにフェース対応用凹部13に弾性材31を充填した場合においても、ボール15の打撃時においてフェース３の３方にのみ表側の変形用溝23、裏側の変形用溝24が配置されていることで、ボール15の打撃時において弾性材31が圧縮変形すると共にフェース３の撓みまたはフェース３のヘッド本体12に対する相対変位がヒール５側を回転中心としてトウ７側が大きくなるようできるので、フェース３の弾性を調整でき、しかもボール15の打撃時にフェース３の回動を平面反時計方向回りとして、ギア効果によりドロー系のボール15の打ち出しを容易に行うことができる。
【実施例３】
【００２８】
図７〜図９は実施例３を示しており、変形部としてトップ側エッジ20に沿って設けられる表側のトップ側溝部25と、ヒール側エッジ19に沿って設けられる表側のヒール側溝部32と、リーディングエッジ22に沿って設けられる表側のリーディング側溝部27とが連続してなり、トウ側エッジ21には表側変形用溝23は形成されておらず、また表側の変形用溝23と同様に、フェース部材11の裏側に設けられる裏側の変形用溝24においても、トップ側エッジ20に沿って設けられる裏側のトップ側溝部28と、ヒール側エッジ19に沿って設けられる裏側のヒール側溝部33と、リーディングエッジ22に沿って設けられる裏側のリーディングエッジ側溝部30とが連続してなり、そしてこの裏側の変形用溝24においてはトウ側エッジ21には裏側の変形用溝24は形成されていないようになっているので、フェース３におけるトップ側エッジ20、ヒール側エッジ19、リーディングエッジ22の３方にのみ表側の変形用溝23、裏側の変形用溝24が配置されていることで、フェース３の撓みまたはフェース３のヘッド本体12に対する相対変位がトウ７側を回転中心としてヒール５側が大きくなるようできるので、ボール15の打撃時にフェース３の回動を平面時計方向回りとして、ギア効果によりフェード系のボール15の打ち出しを容易に行うことができる。
【産業上の利用可能性】
【００２９】
以上のように本発明は種々のアイアン型ゴルフクラブに適用できる。また、変形部は溝によって形成せず、異なる金属材料を組み合せて形成してもよい。例えば一方の剛性を高めると共に、他方の剛性を相対的に低くすることにより、該剛性の低い箇所が変形部となるようにすればよい。さらに変形部は溝であっても表側の変形用溝、裏側の変形用溝のいずれか一方を設けたものでもよい。
【図面の簡単な説明】
【００３０】
【図１】本発明の実施例１を示す正面図である。
【図２】本発明の実施例１を示す断面図である。
【図３】本発明の実施例１を示す分解斜視図である。
【図４】本発明の実施例１を示すフェース部材の斜視図である。
【図５】本発明の実施例１を示す打撃時の説明図である。
【図６】本発明の実施例２を示す断面図である。
【図７】本発明の実施例３を示す分解斜視図である。
【図８】本発明の実施例３を示すフェース部材の斜視図である。
【図９】本発明の実施例３を示す打撃時の説明図である。
【符号の説明】
【００３１】
１ ヘッド
２ シャフト
３ フェース
14 インパクトエリア
19 ヒール側ネック付け根
20 トップ側エッジ
21 トウ側エッジ
22 リーディングエッジ
23 表側の変形用溝
24 裏側の変形用溝
【図１】
0004482936.tif 000002
【図２】
0004482936.tif 000003
【図３】
0004482936.tif 000004
【図４】
0004482936.tif 000005
【図５】
0004482936.tif 000006
【図６】
0004482936.tif 000007
【図７】
0004482936.tif 000008
【図８】
0004482936.tif 000009
【図９】
0004482936.tif 000010